(57)【要約】【課題】  出力電流の過電流を検出するのに電力損失を少なくするようにすることを目的とする。【解決手段】  複数の交流電圧又は直流電圧が供給され、それぞれから安定した同一の直流電圧を出力する電圧変換手段を複数有し、この複数の電圧変換手段の出力側を並列接続し、この並列接続点に得られる直流電圧を負荷に供給するようにすると共にこの負荷に供給する出力電流をこの複数の電圧変換手段に分割するようにした電源装置において、この並列接続点からこの負荷へこの直流電圧を供給する際の過電流検出を、この複数の電圧変換手段の各々に設けた電流検出用素子に流れる電流の加算値で行うようにしたものである。【選択図】        図１
2006115637.tif 000002
【特許請求の範囲】
【請求項１】
複数の交流電圧又は直流電圧が供給され、それぞれから安定した同一の直流電圧を出力する電圧変換手段を複数有し、前記複数の電圧変換手段の出力側を並列接続し、該並列接続点に得られる直流電圧を負荷に供給するようにすると共に前記負荷に供給する出力電流を前記複数の電圧変換手段に分割するようにした電源装置において
前記並列接続点から前記負荷へ前記直流電圧を供給する際の過電流検出を、前記複数の電圧変換手段の各々に設けた電流検出用素子に流れる電流の加算値で行うようにしたことを特徴とする電源装置。
【発明の詳細な説明】
【技術分野】
【０００１】
本発明は、複数の交流電圧又は直流電圧が供給され、それぞれから安定した同一の直流電圧を出力する電圧変換手段を複数有し、この複数の電圧変換手段の出力側を並列接続し、この並列接続点より負荷に高出力電力を供給できるようにした電源装置に関する。
【背景技術】
【０００２】
従来、高出力電力を負荷に供給できるようになされた電源装置として、図２に示す如きものが提案されている。
【０００３】
図２において、１ａ，１ｂは複数例えば２個の例えばスイッチング定電圧電源回路等より成る電圧変換手段を示す。この電圧変換手段１ａ及び１ｂは電源２ａ及び２ｂより夫々独立した交流電圧又は直流電圧が供給され、出力側に夫々安定した同一電圧の直流電圧Ｖ０を得るようになしたものである。
【０００４】
この電圧変換手段１ａ及び１ｂの夫々出力側を並列接続する。即ち、電圧変換手段１ａ及び１ｂの夫々の正の出力端子３ａ及び３ｂを互いに接続し、この接続点を電源装置の正の出力端子４ａに接続し、電圧変換手段１ａ及び１ｂの夫々の負の出力端子を互いに接続し、この接続点を出力電流（負荷電流）Ｉ０の電流検出用素子の抵抗器５をかいして電源装置の負の出力端子４ｂに接続する。
【０００５】
また、電圧変換手段１ａ及び１ｂに夫々の電流を検出する電流検出用素子を構成する抵抗器６ａ及び６ｂを夫々設ける。７は過電流検出回路を示し、この過電流検出回路７に抵抗器５の両端電圧を供給すると共に抵抗器６ａ及び６ｂの夫々の両端電圧を供給して、電圧変換手段１ａ及び１ｂの夫々の過電流を検出する。
【０００６】
斯かる図２に示す如き電源装置においては、出力端子４ａ，４ｂに得られる直流電圧Ｖ０は電圧変換手段１ａ，１ｂが単独で動作していても、複数本例では２個で動作していても、負荷８に対して供給され、複数（２個）で動作している際は、その数に比例した電力を負荷８に供給することができる。
【０００７】
電圧変換手段１ａ及び１ｂが複数例えば２個で動作している際、電圧変換手段１ａ及び１ｂは夫々の間で出力電流Ｉ０をある一定の範囲内で均等に分け合うように電流検出用素子を構成する抵抗器６ａ及び６ｂを利用したシェアリング回路により制御する如くする。
【０００８】
電圧変換手段１ａ，１ｂが単独で動作している時に出力電流Ｉ０の過電流を検出する際は、電圧変換手段１ａ，１ｂが有している電流検出用素子を構成する抵抗器６ａ，６ｂを用いて出力電流Ｉ０の過電流を検出する。
【０００９】
例えば、電圧変換手段１ｂのみが単独で動作している際は、過電流検出回路７が抵抗器６ｂの両端電圧（電圧降下）Ｖを利用して過電流を検出し、電圧変換手段１ｂへフィードバックし、保護動作を行う。
【００１０】
電圧変換手段１ａ及び１ｂが複数で動作している時に出力電流Ｉ０の過電流を検出するのに、従来では夫々が有している電流検出用素子を構成する抵抗器６ａ及び６ｂの他に設けられた電流検出用素子を構成する抵抗器５を用いて出力電流Ｉ０の過電流を検出していた。
【００１１】
これは、複数例えば２個の電圧変換手段１ａ及び１ｂで動作しているときに、抵抗器６ａもしくは６ｂを使用して出力電流Ｉ０の過電流を検出しようとした場合、過電流検出ポイントが単独で動作していたときの２倍のポイントだとすると抵抗器６ａ及び６ｂを流れる電流ＩａやＩｂが出力電流Ｉ０を５０％づつに分割していた場合は、例えば抵抗器６ａを使用して単独時の２倍に基準を設定すればよいが分割率が例えば４０％対６０％等になると、それに従って、過電流が検出されるポイントがずれ、過電流ポイントがこの分割率に影響されるという問題があったため、この抵抗器５が使用されていた。
【００１２】
図２に示す如く負の出力端子３ｃ及び３ｄの互いの接続点と負の出力端子４ｂとの間に出力電流検出用素子の抵抗器５を設けたときは、複数例えば２個の電圧変換手段１ａ，１ｂが出力電流Ｉ０をどのような割合で分割しようとも常に精度良く出力電流Ｉ０の過電流を検出することができる。
【００１３】
先に、複数の整流平滑回路の出力側を並列接続し、この並列接続点に得られる直流電圧を負荷に供給するようにした直流電源の過電流検出回路が特許文献１に開示されている。
【特許文献１】特開２０００−２７２７号公報
【発明の開示】
【発明が解決しようとする課題】
【００１４】
然しながら、図２に示す如く負の出力端子３ｃ及び３ｄの互いの接続点と負の出力端子４ｂとの間に電流検出用素子の抵抗器５を設けたときは、この抵抗器５に出力電流Ｉ０が常に流れ電力損失が発生するばかりでなく、抵抗器５を設けるので、それだけコストがかかると共に基板設置面積、効率の悪化を招く不都合があった。
【００１５】
また、特許文献１では、複数のトランスの一次巻線に設けたカレントトランスに抵抗を接続し、且つダイオードを介して過電流検出部に接続しているので、複数のトランスのうちの最大電流につき検出できるが負荷への出力電流は検出できない。
【００１６】
本発明は、斯かる点に鑑み、出力電流の過電流を検出するのに電力損失を少なくするようにすることを目的とする。
【課題を解決するための手段】
【００１７】
本発明電源装置は、複数の交流電圧又は直流電圧が供給され、それぞれから安定した同一の直流電圧を出力する電圧変換手段を複数有し、この複数の電圧変換手段の出力側を並列接続し、この並列接続点に得られる直流電圧を負荷に供給するようにすると共にこの負荷に供給する出力電流をこの複数の電圧変換手段に分割するようにした電源装置において、この並列接続点からこの負荷へこの直流電圧を供給する際の過電流検出を、この複数の電圧変換手段の各々に設けた電流検出用素子に流れる電流の加算値で行うようにしたものである。
【発明の効果】
【００１８】
本発明によれば、負荷へ直流電圧を供給する際の過電流検出を複数の電圧変換手段の各々に設けた電流検出用素子に流れる電流の加算値で行うようにしたので、出力電流（負荷電流）の過電流を検出することができると共に出力電流の過電流を検出する電流検出用素子を設けないので、この電流検出用素子による電力損失はなく、また、この電流検出用素子を設けない分コストがかからないと共に基板設置面積、効率の悪化を招くことはない。
【発明を実施するための最良の形態】
【００１９】
以下、図１を参照して本発明電源装置を実施するための最良の形態の例につき説明する。
【００２０】
この図１において、１０ａ，１０ｂは複数例えば２個の例えばスイッチング定電圧電源回路等より成る電圧変換手段を示す。この電圧変換手段１０ａ及び１０ｂは電源１１ａ及び１１ｂより夫々独立した交流電圧又は直流電圧が供給され、出力側に夫々安定した同一電圧の直流電圧Ｖ０を得るようにしたものである。
【００２１】
この電圧変換手段１０ａ及び１０ｂの夫々の出力側を並列接続する。即ち、電圧変換手段１０ａ及び１０ｂの夫々の正の出力端子１２ａ及び１２ｂを互いに接続し、この接続点を電源装置の正の出力端子１３ａに接続し、電圧変換手段１０ａ及び１０ｂの夫々の負の出力端子１２ｃ及び１２ｄを互いに接続し、この接続点を電源装置の負の出力端子１３ｂに接続する。
【００２２】
本例においては、電圧変換手段１０ａ及び１０ｂに夫々の電流を検出する電流検出用素子を構成する抵抗器１４ａ及び１４ｂを設け、この抵抗器１４ａ及び１４ｂの夫々の両端に得られる電圧（電圧降下）Ｖａ及びＶｂを例えば演算増幅回路等より成る加算回路１５に供給し、この加算回路１５により、この抵抗器１４ａ及び１４ｂの夫々の両端に得られる電圧Ｖａ及びＶｂを加算する。
【００２３】
この加算回路１５の出力側に得られる抵抗器１４ａ及び１４ｂの夫々の両端に得られる電圧Ｖａ及びＶｂの加算電圧Ｖａ＋Ｖｂを過電流検出回路１６に供給し、この過電流検出回路１６で過電流を検出する。
【００２４】
斯かる本例による電源装置においては、出力端子１３ａ，１３ｂに得られる直流電圧Ｖ０は、電圧変換手段１０ａ，１０ｂが単独で動作していても、複数本例では２個で動作していても、負荷１７に対して供給され、複数（本例では２個）で動作している際は、その数に比例した電力を負荷１７に供給することができる。
【００２５】
この電圧変換手段１０ａ，１０ｂが複数本例では２個で動作している際、電圧変換手段１０ａ及び１０ｂは夫々の間で出力電流（負荷電流）Ｉ０をある一定の範囲内で均等に分け合うように電流検出用素子を構成する抵抗器１４ａ及び１４ｂを利用したシェアリング回路により制御するごとくする。
【００２６】
本例においては、電圧変換手段１０ａ，１０ｂが単独で動作している時に、出力電流Ｉ０の過電流を検出する際は、電圧変換手段１０ａ，１０ｂが夫々有している電流検出用素子を構成する抵抗器１４ａ，１４ｂを用いて過電流検出回路１６でこの出力電流Ｉ０の過電流を検出する。
【００２７】
例えば、電圧変換手段１０ｂのみが単独で動作している際は、抵抗器１４ｂの両端電圧（電圧降下）Ｖｂが加算回路１５を介して過電流検出回路１６に供給して行う。この過電流検出回路１６で過電流を検出したときは、電圧変換手段１０ｂへフィードバックして保護動作を行う。この際の過電流検出ポイントは、動作している電圧変換手段の数に応じ適切に切り替えられる。
【００２８】
また、本例において、電圧変換手段１０ａ，１０ｂが複数本例においては２個で動作している時に出力電流Ｉ０の過電流を検出する際は、電圧変換手段１０ａ及び１０ｂが夫々有している電流検出用素子を構成する抵抗器１４ａ及び１４ｂを用いて、抵抗器１４ａ及び１４ｂの夫々の両端電圧（電圧降下）Ｖａ及びＶｂを加算回路１５で加算し、この加算電圧Ｖａ＋Ｖｂを過電流検出回路１６に供給して行う。この過電流検出回路１６で過電流を検出したときは、電圧変換手段１０ａ及び１０ｂへフィードバックして保護動作を行う。
【００２９】
以上述べた如く、本例に拠れば、負荷１７へ直流電圧Ｖ０を供給する際の過電流検出を複数本例では２個の電圧変換手段１０ａ，１０ｂの各々に設けた電流検出用素子を構成する抵抗器１４ａ，１４ｂに流れる電流の加算値で行うようにしたので、出力電流（負荷電流）Ｉ０の過電流を検出することができると共に出力電流の過電流を検出する電流検出用素子を設けないので、この電流検出用素子による電力損失はなく、また、この電流検出用素子を設けない分コストがかからないと共に基板設置面積、効率の悪化を招くことはない。
【００３０】
尚、上述例では、電圧変換手段を２個設けた例につき述べたが、必要に応じ３個以上であってもよいことは勿論である。また、上述例では、１の出力としたが、電圧変換手段が複数の違う電圧の出力を生成しているときは、夫々同じ電圧同士を並列に接続し、複数出力とするようにしてもよい。
【００３１】
また、本発明は上述例に限ることなく本発明の要旨を逸脱することなく、その他種々の構成が採り得ることは勿論である。
【図面の簡単な説明】
【００３２】
【図１】本発明電源装置を実施するための最良の形態の例を示す構成図である。
【図２】従来の電源装置の例を示す構成図である。
【符号の説明】
【００３３】
１０ａ，１０ｂ…電圧変換手段、１１ａ，１１ｂ…電源、１３ａ，１３ｂ…出力端子、１４ａ，１４ｂ…抵抗器、１５…加算回路、１６…過電流検出回路、１７…負荷
【図１】
2006115637.tif 000003
【図２】
2006115637.tif 000004